(57)【要約】【課題】本発明は、投影装置を提供する。【解決手段】かかる投影装置は、ケーシング、光学エンジン、投影レンズ、複数の第一ファン、及び放熱モジュールを含み、ケーシングは、風進入口及び風排出口を有し、光学エンジンは、ケーシング内に配置され、且つ複数の発熱素子を含み、投影レンズは、光学エンジンに接続され、放熱モジュールは、ケーシング内に配置され、且つ第一放熱フィンを含み、複数の第一ファンのうちの１つは、第一放熱フィンに近く、複数の第一ファンのうちのもう１つは、第一放熱フィンを離れ、前記風進入口と、前記第一放熱フィンを離れる複数の第一ファンのうちのもう１つとの間には、前記第一放熱フィンがない。【選択図】図１
2020042265.tif 000002
【特許請求の範囲】
【請求項１】
ケーシング、光学エンジン、投影レンズ、複数の第一ファン、及び放熱モジュールを含む投影装置であって、
前記ケーシングは、風進入口及び風排出口を有し、
前記光学エンジンは、前記ケーシング内に配置され、且つ複数の発熱素子を含み、
前記投影レンズは、前記光学エンジンに接続され、
前記放熱モジュールは、前記ケーシング内に配置され、且つ第一放熱フィンを含み、
前記複数の第一ファンのうちの１つは、前記第一放熱フィンに近く、前記複数の第一ファンのうちのもう１つは、前記第一放熱フィンを離れ、
前記風進入口と、前記第一放熱フィンを離れる前記複数の第一ファンのうちのもう１つとの間には、前記第一放熱フィンがない、投影装置。
【請求項２】
請求項1に記載の投影装置であって、
前記複数の発熱素子は、ライトバルブを含む、投影装置。
【請求項３】
請求項2に記載の投影装置であって、
前記複数の第一ファンのうちのもう１つは、前記ライトバルブに近く、且つ前記風進入口と前記ライトバルブとの間に位置する、投影装置。
【請求項４】
請求項2に記載の投影装置であって、
一部の冷却気流が前記第一放熱フィンを流れず、前記ライトバルブに近い前記複数の第一ファンのうちのもう１つにより、前記ライトバルブへ吹かれる、投影装置。
【請求項５】
請求項2に記載の投影装置であって、
前記ライトバルブの能動表面の法線は、前記投影レンズの投影方向に垂直である、投影装置。
【請求項６】
請求項1に記載の投影装置であって、
前記放熱モジュールは、さらに、ヒートパイプ、放熱板、及び第二放熱フィンを含み、
前記ヒートパイプは、第一部分、第二部分、並びに前記第一部分及び前記第二部分に接続される第三部分を含み、
前記第一部分及び前記第二部分は、平行に設置され、前記ヒートパイプの前記第三部分及び前記複数の発熱素子は、前記放熱板に接続され、前記ヒートパイプの前記第一部分は、前記第一放熱フィンに穿設され、前記ヒートパイプの前記第二部分は、前記第二放熱フィンに穿設される、投影装置。
【請求項７】
請求項6に記載の投影装置であって、
前記複数の発熱素子は、
前記放熱板の一方側に設置され、且つ前記ヒートパイプの前記第二部分に近く、照明光束を発するための複数の光源；及び
前記照明光束の光伝播経路に位置し、前記照明光束を映像光束に変換するために用いられるライトバルブを含む、投影装置。
【請求項８】
請求項7に記載の投影装置であって、
前記ライトバルブは、前記放熱板の他方側に設置され、且つ前記ヒートパイプの前記第一部分に近い、投影装置。
【請求項９】
請求項7に記載の投影装置であって、
前記複数の光源は、赤色発光ダイオード、緑色発光ダイオード、及び青色発光ダイオードを含み、前記赤色発光ダイオード及び前記青色発光ダイオードは、前記放熱板のコーナーの両側に位置し、前記緑色発光ダイオード及び前記赤色発光ダイオードは、隣接して設置され、前記緑色発光ダイオードは、前記ライトバルブに近い、投影装置。
【請求項１０】
請求項9に記載の投影装置であって、
前記赤色発光ダイオードに接続される放熱器をさらに含む、投影装置。
【請求項１１】
請求項6に記載の投影装置であって、
前記ヒートパイプの前記第三部分は、接触部、第一接続部及び第二接続部を含み、前記接触部は、前記放熱板に接触し、且つ前記第一接続部及び前記第二接続部に接続され、前記第一接続部は、前記ヒートパイプの前記第一部分及び前記接触部に接続され、前記第二接続部は、前記ヒートパイプの前記第二部分及び前記接触部に接続される、投影装置。
【請求項１２】
請求項6に記載の投影装置であって、
前記第一放熱フィンの幅は、前記第二放熱フィンの幅よりも大きい、投影装置。
【請求項１３】
請求項6に記載の投影装置であって、
前記第二放熱フィンの体積は、前記第一放熱フィンの体積よりも大きい、投影装置。
【請求項１４】
請求項6に記載の投影装置であって、
前記放熱板は、前記ヒートパイプの前記第二部分に近い、投影装置。
【請求項１５】
請求項6に記載の投影装置であって、
前記放熱板は、前記投影レンズと前記ヒートパイプの前記第三部分との間に位置する、投影装置。
【請求項１６】
請求項1に記載の投影装置であって、
前記風進入口の風進入方向及び前記風排出口の風排出方向は、前記投影レンズの投影方向に平行でない、投影装置。
【請求項１７】
請求項6に記載の投影装置であって、
前記複数の第一ファンは、前記ヒートパイプの前記第一部分と前記放熱板との間に位置する、投影装置。
【請求項１８】
請求項6に記載の投影装置であって、
前記ケーシング内に配置され、且つ前記ヒートパイプの前記第二部分と前記風排出口との間に位置する複数の第二ファンをさらに含む、投影装置。
【請求項１９】
請求項6に記載の投影装置であって、
前記ヒートパイプは、U字形ヒートパイプである、投影装置。
【請求項２０】
請求項6に記載の投影装置であって、
前記第二放熱フィンの、前記ヒートパイプの前記第二部分の延伸方向上の長さは、前記第一放熱フィンの、前記ヒートパイプの前記第一部分の延伸方向上の長さよりも大きい、投影装置。
【請求項２１】
請求項3に記載の投影装置であって、
前記ライトバルブの能動表面の法線は、前記投影レンズの投影方向に垂直であり、
一部の冷却気流が前記第一放熱フィンを流れず、前記ライトバルブに近い前記複数の第一ファンのうちのもう１つにより、前記ライトバルブへ吹かれる、投影装置。
【請求項２２】
請求項21に記載の投影装置であって、
前記放熱モジュールは、さらに、ヒートパイプ及び第二放熱フィンを含み、
前記ヒートパイプは、第一部分、第二部分、及び、前記第一部分と前記第二部分との間に位置する第三部分を含み、
前記第一部分及び前記第二部分は、平行に設置され、前記第二放熱フィンの、前記ヒートパイプの前記第二部分の延伸方向上の長さは、前記第一放熱フィンの、前記ヒートパイプの前記第一部分的延伸方向上の長さよりも大きい、投影装置。
【請求項２３】
請求項1に記載の投影装置であって、
前記放熱モジュールは、さらに、ヒートパイプを含み、
前記ヒートパイプは、U字形ヒートパイプであり、
前記ヒートパイプは、第一部分、第二部分、及び、前記第一部分と前記第二部分との間に位置する第三部分を含み、前記複数の第一ファンのうちの１つは、前記ヒートパイプの前記第一部分と前記投影レンズとの間に位置する、投影装置。
【発明の詳細な説明】
【技術分野】
【０００１】
本発明は、投影装置に関し、特に、優れた放熱効果を有する放熱モジュールを用いる投影装置に関する。
【背景技術】
【０００２】
一般的に言えば、投影装置中の主な熱源が光源及びライトバルブ(light  valve)である。従来の投影装置における放熱装置の熱伝達レイアウトでは、これらの熱源は、それぞれ、放熱を行うために放熱器に接続される。しかし、このような方法では、投影装置のシステム全体のレイアウトがコンパクトにならず、より多くの導風構造を用いて風の流れの問題を解決する必要がある。また、投影装置のシステム全体の風量も減少し、これにより、投影装置の放熱能力に影響を与えることがある。
【０００３】
なお、この“背景技術”の部分は、本発明の内容への理解を助けるためだけのものであるため、この“背景技術”の部分に開示されている内容は、当業者に知られていない技術を含む可能性がある。よって、この“背景技術”の部分に開示されている内容は、該内容、又は、本発明の１つ又は複数の実施例が解決しようとする課題が本発明の出願前に既に当業者に周知されていることを意味しない。
【発明の概要】
【発明が解決しようとする課題】
【０００４】
本発明の目的は、より良い放熱効果を有する放熱モジュールを提供することにある。
【０００５】
本発明のもう１つの目的は、上述の放熱モジュールを含み、スペースを節約し、且つ優れた放熱効果を有する投影装置を提供することにある。
【０００６】
本発明の他の目的及び利点は、本発明に開示されている技術的特徴からさらに理解することができる。
【課題を解決するための手段】
【０００７】
上述の１つ又は一部又は全部の目的或いは他の目的を達成するために、本発明の一実施例では、投影装置が提供され、それは、ケーシング、光学エンジン、投影レンズ、複数の第一ファン、及び放熱モジュールを含む。ケーシングは、風進入口及び風排出口を有する。光学エンジンは、ケーシング内に配置され、且つ複数の発熱素子を含む。投影レンズは、光学エンジンに接続される。放熱モジュールは、ケーシング内に配置され、且つ放熱モジュールは、第一放熱フィンを含む。複数の第一ファンのうちの１つは、第一放熱フィンに近く、複数の第一ファンのうちのもう１つは、第一放熱フィンを離れ、且つ風進入口と、第一放熱フィンを離れる複数の第一ファンのうちのもう１つとの間には、第一放熱フィンがない。
【０００８】
上述により、本発明の実施例は、少なくとも次のような１つの利点又は効果を有する。本発明の放熱モジュールでは、放熱板に設置され、且つヒートパイプの第一部分に比較的に近い発熱素子は、放熱板により熱伝導及び熱対流の方式で放熱を行うことができるだけでなく、熱対流の方式で直接放熱を行うこともできる。言い換えると、本発明の放熱モジュールは、１つの熱対流の放熱経路を増設することで、より良い放熱効果を有する。また、本発明の放熱モジュールを用いる投影装置は、より良い放熱効果を有する他に、その発熱素子が全て放熱板に設置され、即ち、熱源が一箇所に集中するため、システムのスペースを有効に節約し、システムの体積及びノイズを小さくすることもできる。
【０００９】
本発明の上述の特徴及び利点をより明らかにするために、以下、実施例を挙げて、添付した図面を参照することにより、詳細に説明する。
【図面の簡単な説明】
【００１０】
【図１】本発明による投影装置を示す図である。
【図２】図1中の投影装置の放熱モジュールを示す図である。
【発明を実施するための形態】
【００１１】
本発明の上述及び他の技術的内容、特徴、機能及び効果は、添付した図面に基づく以下のような好ましい実施例における詳細な説明により明確になる。なお、以下の実施例に言及されている方向についての用語、例えば、上、下、左、右、前、後などは、添付した図面の方向に過ぎない。よって、使用されている方向の用語は、本発明を説明するためだけのものであり、本発明を限定するためのものではない。
【００１２】
図1は、本発明による投影装置を示す図である。図2は、図1中の投影装置の放熱モジュールを示す図である。なお、明確且つ便宜のために、図1では、一部の部品（例えば、一部のケーシングなど）の図示が省略され、且つ一部のケーシングが点線で表される場合がある。図1及び図2を同時に参照する。本実施例では、投影装置10は、ケーシング100、光学エンジン200、投影レンズ(projection  lens)300、及び放熱モジュール400を含む。ケーシング100の１つの側面に風進入口102があり、ケーシング100のもう１つの側面に風排出口104があり、そのうち、風進入口102及び風排出口104は、それぞれ、ケーシング100の相対する両側に位置する。光学エンジン200は、ケーシング100内に配置され、且つ複数の発熱素子210、220、230、240を含み、そのうち、発熱素子220、230、240は、例えば、照明光束を発するための複数の光源、及び、照明光束の光伝播経路に位置し、且つ照明光束を映像光束に変換する発熱素子210、例えば、ライトバルブを含む。ここで、ライトバルブ210は、光変調素子であり、それは、例えば、DMD（Digital  Micromirror  DeviceD）であるが、これに限定されない。他の実施例では、光変調素子は、反射型LCOS（Liquid  Crystal  on  Silicon）又は透過型液晶パネル（Transparent  Liquid  Crystal  Panel）であっても良い。光源は、例えば、固体光源（solid-state  illumination  source）、例えば、発光ダイオード（light  emitting  diode）又はレーザーダイオード（laser  diode）である。ここで、光源が赤色発光ダイオード220、緑色発光発光ダイオード230、及び青色発光発光ダイオード240であることを例として説明する。投影レンズ300は、ケーシング100内に配置され、且つ光学エンジン200に接続され、映像光束をケーシング100の外へ投射するために用いられる。図1に示すように、ケーシング100の風進入口102の風進入方向D1及び風排出口104の風排出方向D2は、投影レンズ300の投影方向D3に平行でない。例えば、ケーシング100の風進入口102の風進入方向D1及び風排出口104の風排出方向D2は、投影レンズ300の投影方向D3に垂直であるが、これに限定されず、設計者が行う投影装置10中の各素子の配列によれば良い。そのうち、風進入方向D1及び風排出方向D2は、冷却気流の流動方向と定義される。
【００１３】
再び図1及び図2を参照する。本実施例の放熱モジュール400は、ケーシング100内に配置され、放熱モジュール400は、ヒートパイプ410、放熱板420、第一放熱フィン430、及び第二放熱フィン440を含む。ヒートパイプ410は、第一部分412、第二部分414、並びに第一部分412及び第二部分414に接続される第三部分416を含み、そのうち、第一部分412及び第二部分414は、平行に設置される。ここで、ヒートパイプ410の形状は、具体的には、U字形であり、第一部分412は、第二部分41と対称的に設けられ、また、第二部分414の長さは、第一部分412の長さに等しいが、本発明は、これに限定されず、他の実施例では、第二部分414の長さは、第二放熱フィン440のサイズに合わせるために、第一部分412の長さよりも大きくても良い。ヒートパイプ410の第三部分416は、放熱板420に接続される。ヒートパイプ410の第三部分416及び発熱素子210、220、230、240は、放熱板420に位置し、発熱素子210、220、230、240は、放熱板420に接続され、そのうち、ヒートパイプ410の第三部分416は、接触部416a、第一接続部416b、及び第二接続部416cを含む。接触部416aは、放熱板420に接触し、且つ第一接続部416b及び第二接続部416cに接続され、そのうち、接触部416aの管径は、第一接続部416bの管径及び第二接続部416cの管径よりも大きく、これにより、放熱面積を増大し、放熱効率を向上させることができる。第一接続部416bは、ヒートパイプ410の第一部分412及び接触部416aに接続され、第二接続部416cは、ヒートパイプ410の第二部分414及び接触部416aに接続される。ヒートパイプ410の第一部分412は、第一放熱フィン430に穿設され、ヒートパイプ410の第二部分414は、第二放熱フィン440に穿設される。発熱素子220、230、240は、放熱板420の一方側に設置され、且つヒートパイプ410の第二部分414に近く、発熱素子210は、放熱板420の他方側に設置され、且つヒートパイプ410の第一部分412に近い。
【００１４】
なお、ヒートパイプ410は、中空管であり、材質（材料）は、金属、例えば、銅である。ヒートパイプ410の内部には、冷却液体、例えば、水が充填され、管壁には、毛細管構造があり、又は、多孔質材料が増設され、毛細現象で冷却液体を発熱端に返すことができ、ヒートパイプ410は、熱を伝達するために用いられる。U字形ヒートパイプ410の特別な点は、ヒートパイプ410の第一部分412が第一放熱フィン430から出ること、及び、ヒートパイプ410の第二部分414が第二放熱フィン440から出ることにある。特に、第二放熱フィン440の、第二部分414の延伸方向E2上の長さL2は、第一放熱フィン430の、第一部分412の延伸方向E1上の長さL1よりも大きい。即ち、第二放熱フィン440の長さL2は、第一放熱フィン430の長さL1よりも大きい。ヒートパイプ410の第二部分414の長さが第一部分412の長さに等しく又はそれより少し大きく、これは、ヒートパイプ410の第一部分412の一部の領域が第一放熱フィン430により覆われないことを意味する。ここで、第一部分412の延伸方向E1及び第二部分414の延伸方向E2は、ともに、風進入口102の風進入方向D1及び風排出口104の風排出方向D2に垂直である。図1に示すように、風進入方向D1上では、第一放熱フィン430が放熱板420をブロック（block）しないため、冷却気流が風進入口102からケーシング100に進入するときに、発熱素子210、220、230、240のうちの発熱素子210は、熱対流、及び、熱伝導プラス熱対流の方式で外部へ放熱することができる。言い換えると、発熱素子210、220、230、240は、放熱板420により提供される熱伝導、及び、第一放熱フィン430及び第二放熱フィン440により提供される熱対流の方式で放熱することができる以外に、ヒートパイプ410の第一部分412に近い発熱素子210は、風進入口102から入る一部の冷却気流が、第一放熱フィン430を流れず、直接、熱対流の方式で冷却することもできる。簡単に言うと、本実施例の放熱モジュール400の設計により、１つの熱対流の放熱経路を増設することで、より良い放熱効果を有する。また、発熱素子210（即ち、ライトバルブ）の耐熱性が低いから、冷却気流により直接発熱素子210を冷却することで、その使用寿命及び信頼性を有効に向上させることもできる。
【００１５】
さらに言えば、放熱モジュール400の放熱板420は、投影レンズ300とヒートパイプ410の第三部分416との間に位置し、且つ光学エンジン200の底部に位置する。即ち、ヒートパイプ410は、投影レンズ300を離れることで、ヒートパイプ410の周囲の熱い空気が投影レンズ300を加熱するによる光学品質への影響を避けることができる。放熱板420は、光学エンジン200の底部に接続される。高輝度のニーズに応じて、放熱面で有利になるように緑色発光ダイオード230を流れ場の上流側に設け、熱に敏感でない青色発光ダイオード240を流れ場の下流側に設けることで、他の熱源又は光学素子への影響を避けることができ、そのうち、流れ場の上下流とは、冷却気流が発熱素子の複数の光源を流れる前後の順序を指す。よって、図1に示すように、赤色発光ダイオード220及び青色発光ダイオード240は、放熱板420のコーナーの両側に位置し、赤色発光ダイオード220及び青色発光ダイオード240は、垂直に設置される。緑色発光ダイオード230及び赤色発光ダイオード220は、隣接して設置され、且つ緑色発光ダイオード230は、他の発光ダイオードよりも、ライトバルブ210に近い。また、赤色発光ダイオード220の効果が温度と高い負の相関を有するため、赤色発光ダイオード220の放熱効率を向上させるために、投影装置10は、さらに、放熱器500を含んでも良く、放熱器500は、赤色発光ダイオード220に接続されることで、熱伝導の放熱手段を増やすことができる。
【００１６】
また、投影装置10全体の冷却気流の強度を向上させるために、投影装置10は、さらに、複数の第一ファン600（図1では、一例として、２つがある）及び複数の第二ファン700（図1では、一例として、２つがある）を含んでも良い。第一ファン600は、ケーシング100内に配置され、且つヒートパイプ410の第一部分412と放熱板420との間に位置する。第二ファン700は、ケーシング100内に配置され、且つヒートパイプ410の第二部分414と風排出口104との間に位置する。また、第二ファン700は、ヒートパイプ410の第二部分414と風排出口104との間に配置され、これにより、熱源(複数の発熱素子)と第二ファン700との間に一定の距離を保つことで、気流(熱気)は、このようなスペースで集まった後に、第二ファン700により投影装置10の外へ排出することができる。一部の冷却気流は、風進入口102からケーシング100内に進入するときに、順に、第一放熱フィン430／ヒートパイプ410の第一部分412、第一ファン600、ライトバルブ210／投影レンズ300、緑色発光ダイオード230／赤色発光ダイオード220／青色発光ダイオード240、第二放熱フィン440、第二ファン700、及び風排出口104を流れることで、ケーシング100内の発熱素子210、220、230、240に対して放熱を行うことができる。
【００１７】
なお、第二放熱フィン440の長さL2が第一放熱フィン430の長さL1よりも大きく、その目的は、一部の冷却気流が風進入口102からケーシング100内に入るときに、この一部の冷却気流が、第一放熱フィン430を流れず、直接、ライトバルブ210に近い第一ファン600によりライトバルブ210へ吹かれ、これにより、より多くの冷却気流を導入して直接ライトバルブ210へ吹かせることで、ライトバルブ210の温度を低くすることができる。言い換えると、風進入口102と、ライトバルブ210に近い第一ファン600との間には、第一放熱フィン430を有しない。また、ライトバルブ210の能動表面(マイクロレンズがある表面)の法線は、投影レンズの投影方向D3に垂直である。
【００１８】
図2に示すように、第一放熱フィン430の幅W1が第二放熱フィン440の幅W2よりも大きい。好ましくは、本実施例の第二放熱フィン440の体積が第一放熱フィン430の体積よりも大きく、そのため、第二放熱フィン440は、第一放熱フィン430に比べ、ケーシング100内のより多くの熱を放出することができる。よって、冷却気流が第一放熱フィン430を流れた後に、下流側の投影レンズ300を加熱することがないから、その光学品質に影響を与えることがない。
【００１９】
以上のことから、本発明の実施例は、少なくとも次のような１つの利点又は効果を有する。即ち、本発明の放熱モジュールでは、第二放熱フィンの、ヒートパイプの第二部分の延伸方向上の長さは、第一放熱フィンの、ヒートパイプの第一部分の延伸方向上の長さよりも大きく、且つ風進入方向上では、第一放熱フィンは、放熱板をブロックしない。よって、放熱板に設置され、且つヒートパイプの第一部分に近い発熱素子は、放熱板により熱伝導及び熱対流の方式で放熱を行うことができるだけでなく、熱対流の方式で直接放熱を行うこともできる。つまり、本発明の放熱モジュールは、１つの熱対流の放熱経路を増設することで、より良い放熱効果を有する。また、本発明の放熱モジュールを用いる投影装置は、より良い放熱効果を有する他に、その発熱素子が全て放熱板に設置され、即ち、熱源が一箇所に統合されることで、システムのスペースを有効に節約し、システムの体積及びノイズを小さくすることもできる。
【００２０】
本発明は、前述した好適な実施例に基づいて以上のように開示されたが、前述した好適な実施例は、本発明を限定するためのものでなく、当業者は、本発明の技術的思想と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示されたすべての目的又は利点又は特徴を達成する必要がない。また、要約の一部と発明の名称は、文献の検索を助けるためのみのものであり、本発明の技術的範囲を限定するものでない。また、本明細書又は特許請求の範囲に言及されている「第一」、「第二」などの用語は、要素（element）に名前を付け、又は、異なる実施例又は範囲を区別するためのものみであり、要素の数量上での上限又は下限を限定するためのものでない。
【符号の説明】
【００２１】
10：投影装置
100：ケーシング
102：風進入口
104：風排出口
200：光学エンジン
210：発熱素子／ライトバルブ
220：発熱素子／赤色発光ダイオード
230：発熱素子／緑色発光ダイオード
240：発熱素子／青色発光ダイオード
300：投影レンズ
400：放熱モジュール
410：ヒートパイプ
412：第一部分
414：第二部分
416：第三部分
416a：接触部
416b：第一接続部
416c：第二接続部
420：放熱板
430：第一放熱フィン
440：第二放熱フィン
500：放熱器
600：第一ファン
700：第二ファン
D1：風進入方向
D2：風排出方向
D3：投影方向
E1、E2：延伸方向
L1、L2：長さ
W1、W2：幅
【図１】
2020042265.tif 000003
【図２】
2020042265.tif 000004